(57)【要約】【課題】リセット信号の入力を契機としてリセット処理を実行させたいときにのみ、リセット信号の入力を契機としてリセット処理を実行させることのできる、画像形成装置を提供すること。【解決手段】リセット処理制御プログラムの自動選択プログラムが起動されると、レーザプリンタ１においてスリープモードの設定がされていない場合には、インプットプライム信号有効モードが選択され、インプットプライム信号の入力を契機として、リセット処理が実行される。一方、レーザプリンタ１においてスリープモードが設定されている場合には、インプットプライム信号無視モードが選択され、インプットプライム信号が入力されても、インプットプライム信号が無視される。これにより、ユーザが所望しないリセット処理の実行が防止され、不必要な処理を低減して、ランニングコストの低減化を図ることができる。【選択図】　　図４
2004142187.tif 000002
【特許請求の範囲】
【請求項１】
外部装置から送信されるリセット信号を受信する受信手段と、リセット処理を実行するためのリセット処理手段とを備える画像形成装置において、
前記リセット処理手段にリセット処理を実行させるためのリセット処理制御手段を備え、
前記リセット処理制御手段は、前記リセット信号の入力を契機として前記リセット処理手段にリセット処理を実行させるためのリセット信号有効モードと、
前記リセット信号の入力を無視して、前記リセット処理手段にリセット処理を実行させないリセット信号無視モードとを備えていることを特徴とする、画像形成装置。
【請求項２】
前記リセット処理制御手段は、前記リセット信号有効モードを選択するためのリセット信号有効モード選択手段と、前記リセット信号無視モードを選択するためのリセット信号無視モード選択手段とを備えていることを特徴とする、請求項１に記載の画像形成装置。
【請求項３】
前記リセット処理制御手段は、前記リセット信号有効モードと前記リセット信号無視モードとを自動的に選択するための自動選択手段を備えていることを特徴とする、請求項１または２に記載の画像形成装置。
【請求項４】
印刷処理の終了後、所定時間経過しても次の印刷ジョブが入力されない場合に、印刷ジョブが受信可能な状態で印刷処理時よりも消費電力が少ないスリープモードを設定するスリープモード制御手段を備え、
前記自動選択手段は、前記スリープモード制御手段により前記スリープモードが設定されていない場合には、前記リセット信号有効モードを選択し、前記スリープモード制御手段により前記スリープモードが設定されている場合には、前記リセット信号無視モードを選択することを特徴とする、請求項３に記載の画像形成装置。
【請求項５】
印刷処理の終了後、所定時間経過しても次の印刷ジョブが入力されない場合に、印刷ジョブが受信可能な状態で印刷処理時よりも消費電力が少ないスリープモードを設定するスリープモード制御手段を備え、
前記リセット信号有効モードが選択されている場合に、前記スリープモードが設定されているときに前記受信手段が前記リセット信号を受信すると、前記スリープモード制御手段が前記スリープモードを解除して、前記リセット処理制御手段が前記リセット処理を実行し、
前記リセット信号無視モードが選択されている場合に、前記スリープモードが設定されているときに前記受信手段が前記リセット信号を受信しても、前記スリープモード制御手段は前記スリープモードを解除しないことを特徴とする、請求項２ないし４のいずれかに記載の画像形成装置。
【請求項６】
前記リセット信号有効モード選択手段、前記リセット信号無視モード選択手段および前記自動選択手段の少なくとも２つのうちから、いずれか１つを設定するための設定手段を備えていることを特徴とする、請求項３ないし５のいずれかに記載の画像形成装置。
【請求項７】
前記設定手段により設定された選択手段を表示するための表示手段を備えていることを特徴とする、請求項６に記載の画像形成装置。
【請求項８】
前記受信手段は、少なくとも前記外部装置の電源投入時に送信される前記リセット信号を受信することを特徴とする、請求項１ないし７のいずれかに記載の画像形成装置。
【請求項９】
印刷準備のためのウォームアップ動作を実行するためのウォームアップ処理手段を備え、
前記リセット処理手段は前記リセット処理として、印刷データを初期化するための印刷データ初期化処理と、印刷設定情報を初期化するための印刷設定情報初期化処理と、前記ウォームアップ処理手段によるウォームアップ動作を開始させるためのウォームアップ動作開始処理とを備えていることを特徴とする、請求項１ないし８のいずれかに記載の画像形成装置。
【請求項１０】
前記リセット信号は、前記外部装置と前記受信手段とを接続するパラレルインターフェイスケーブルを介して、前記受信手段に送信されることを特徴とする、請求項１ないし９のいずれかに記載の画像形成装置。
【請求項１１】
前記受信手段は、前記パラレルインターフェイスケーブルが接続されるパラレルインターフェイス用ポートと、ネットワークケーブルの接続が可能なネットワーク用ポートとを備え、
前記リセット処理制御手段は、前記パラレルインターフェイス用ポートにパラレルインターフェイスケーブルが、前記ネットワーク用ポートにネットワークケーブルが、それぞれ接続されている場合に、前記リセット信号無視モードを自動的に選択するためのリセット信号無視モード自動選択手段を備えていることを特徴とする、請求項１ないし１０のいずれかに記載の画像形成装置。
【発明の詳細な説明】
【０００１】
【発明の属する技術分野】
本発明は、レーザプリンタなどの画像形成装置に関する。
【０００２】
【従来の技術】
レーザプリンタなどの画像形成装置は、通常、外部のパーソナルコンピュータと接続されており、パーソナルコンピュータにおいて作成された印刷ジョブが、インターフェイスケーブルを介してレーザプリンタに送信されることにより、レーザプリンタにおいて、その印刷ジョブに従った印刷処理が実行される。
【０００３】
このようなパーソナルコンピュータとレーザプリンタとを接続するためのインターフェイスケーブルとしては、たとえば、パラレルインターフェイスケーブルがよく知られている。
【０００４】
このパラレルインターフェイスケーブルは、複数の信号線を備えており、複数ビットを同時並行して送信できるパラレル伝送用のインターフェイスケーブルであって、たとえば、その信号線の１つとして、レーザプリンタをリセットするためのインプットプライム信号を送信するための信号線を備えている。
【０００５】
そして、パーソナルコンピュータからは、通常、印刷をキャンセルするためのユーザからの入力により、あるいは、パーソナルコンピュータの電源投入時において、このインプットプライム信号がレーザプリンタに送信され、レーザプリンタでは、このインプットプライム信号の受信を契機として、印刷データをクリアし、かつ、ウォームアップ動作を行なうリセット処理が実行されるように制御されている。
【０００６】
また、レーザプリンタでは、通常、印刷処理の終了後、所定時間経過しても次の印刷ジョブが入力されない場合には、印刷ジョブが受信可能な状態で、印刷処理時よりも消費電力が少なくなるスリープモードが設定されるように制御されており、たとえば、特開平８−３２４０７１号公報には、ホストコンピュータからスリープモードの設定を解除できるスリープ解除方法が記載されている。
【０００７】
【特許文献１】
特開平８−３２４０７１号公報
【発明が解決しようとする課題】
上述したように、レーザプリンタが、パーソナルコンピュータとパラレルインターフェイスケーブルを介して接続されている場合においては、パーソナルコンピュータの電源が投入されると、そのパーソナルコンピュータからレーザプリンタにインプットプライム信号が送信され、レーザプリンタでは、ウォームアップ動作が実行される。レーザプリンタが上記スリープモード状態にあるときは、ユーザの希望とは無関係に、そのレーザプリンタのスリープモード状態が解除され、ウォームアップ動作を含むリセット処理が実行されてしまう。
【０００８】
本発明の目的とするところは、リセット信号の入力を契機としてリセット処理を実行させたいときにのみ、リセット信号の入力を契機としてリセット処理を実行させることのできる、画像形成装置を提供することにある。
【０００９】
【課題を解決するための手段】
上記目的を達成するため、請求項１に記載の発明は、外部装置から送信されるリセット信号を受信する受信手段と、リセット処理を実行するためのリセット処理手段とを備える画像形成装置において、前記リセット処理手段にリセット処理を実行させるためのリセット処理制御手段を備え、前記リセット処理制御手段は、前記リセット信号の入力を契機として前記リセット処理手段にリセット処理を実行させるためのリセット信号有効モードと、前記リセット信号の入力を無視して、前記リセット処理手段にリセット処理を実行させないリセット信号無視モードとを備えていることを特徴としている。
【００１０】
このような構成によると、リセット信号の入力を契機としてリセット処理手段にリセット処理を実行させたい場合には、リセット信号有効モードを選択し、リセット処理手段にリセット処理を実行させたくない場合には、リセット信号無視モードを選択すれば、リセット処理手段においては、リセット信号の入力を契機として一律にリセット処理がなされず、所望する場合のみ、リセット処理を実行させることができる。そのため、ユーザが所望しないタイミングでのリセット処理の実行が阻止され、不必要な処理を低減することができる。
【００１１】
また、請求項２に記載の発明は、請求項１に記載の発明において、前記リセット処理制御手段は、前記リセット信号有効モードを選択するためのリセット信号有効モード選択手段と、前記リセット信号無視モードを選択するためのリセット信号無視モード選択手段とを備えていることを特徴としている。
【００１２】
このような構成によると、リセット信号有効モード選択手段を設定すると、リセット信号有効モードが選択される。また、リセット信号無視モード選択手段を設定すると、リセット信号無視モードが選択される。そのため、リセット信号有効モード選択手段またはリセット信号無視モード選択手段の設定により、リセット信号有効モードまたはリセット信号無視モードのいずれかを、簡易かつ確実に設定することができる。
【００１３】
また、請求項３に記載の発明は、請求項１または２に記載の発明において、前記リセット処理制御手段は、前記リセット信号有効モードと前記リセット信号無視モードとを自動的に選択するための自動選択手段を備えていることを特徴としている。
【００１４】
このような構成によると、リセット処理制御手段には、自動選択手段が備えられているので、この自動選択手段を設定することによって、リセット信号有効モードまたはリセット信号無視モードが自動的に選択される。そのため、この自動選択手段の設定により、画像形成装置の動作状態に応じた適切なモードの自動的な選択を達成することができる。
【００１５】
また、請求項４に記載の発明は、請求項３に記載の発明において、印刷処理の終了後、所定時間経過しても次の印刷ジョブが入力されない場合に、印刷ジョブが受信可能な状態で印刷処理時よりも消費電力が少ないスリープモードを設定するスリープモード制御手段を備え、前記自動選択手段は、前記スリープモード制御手段により前記スリープモードが設定されていない場合には、前記リセット信号有効モードを選択し、前記スリープモード制御手段により前記スリープモードが設定されている場合には、前記リセット信号無視モードを選択することを特徴としている。
【００１６】
このような構成によると、スリープモードが設定されていない場合には、自動選択手段により、リセット信号有効モードが選択されるので、外部装置からのリセット信号が受信手段によって受信されると、それを契機として、リセット処理手段によるリセット処理が実行される。一方、スリープモードが設定されている場合には、自動選択手段により、リセット信号無視モードが選択されるので、たとえ外部装置からのリセット信号が受信手段によって受信されても、そのリセット信号は無視され、リセット処理手段によるリセット処理は実行されない。そのため、この画像形成装置では、スリープモード状態にある場合には、たとえリセット信号が入力されてもリセット処理が実行されず、そのスリープモード状態を、そのまま維持することができる。
【００１７】
また、請求項５に記載の発明は、請求項２ないし４のいずれかに記載の発明において、印刷処理の終了後、所定時間経過しても次の印刷ジョブが入力されない場合に、印刷ジョブが受信可能な状態で印刷処理時よりも消費電力が少ないスリープモードを設定するスリープモード制御手段を備え、前記リセット信号有効モードが選択されている場合に、前記スリープモードが設定されているときに前記受信手段が前記リセット信号を受信すると、前記スリープモード制御手段が前記スリープモードを解除して、前記リセット処理制御手段が前記リセット処理を実行し、前記リセット信号無視モードが選択されている場合に、前記スリープモードが設定されているときに前記受信手段が前記リセット信号を受信しても、前記スリープモード制御手段は前記スリープモードを解除しないことを特徴としている。
【００１８】
このような構成によると、リセット信号有効モードが選択されている場合において、スリープモードが設定されているときに、受信手段がリセット信号を受信すると、スリープモード制御手段によってスリープモードの設定が解除され、リセット処理が開始される。一方、リセット信号無視モードが選択されている場合において、スリープモードが設定されているときに、受信手段がリセット信号を受信しても、スリープモード制御手段によってスリープモードの設定は解除されず、リセット処理は開始されない。そのため、ユーザが所望しないスリープモード状態でのリセット処理を防止することができる。
【００１９】
また、請求項６に記載の発明は、請求項３ないし５のいずれかに記載の発明において、前記リセット信号有効モード選択手段、前記リセット信号無視モード選択手段および前記自動選択手段の少なくとも２つのうちから、いずれか１つを設定するための設定手段を備えていることを特徴としている。
【００２０】
このような構成によると、設定手段によって、リセット信号有効モード選択手段、リセット信号無視モード選択手段および自動選択手段の少なくとも２つのうちから、いずれか１つを設定することができる。そのため、ユーザが所望する選択手段を、簡易かつ確実に設定することができる。
【００２１】
また、請求項７に記載の発明は、請求項６に記載の発明において、前記設定手段により設定された選択手段を表示するための表示手段を備えていることを特徴としている。
【００２２】
このような構成によると、表示手段によって、設定手段において設定された選択手段を表示できるので、設定した選択手段を容易に確認することができる。
【００２３】
また、請求項８に記載の発明は、請求項１ないし７のいずれかに記載の発明において、前記受信手段は、少なくとも前記外部装置の電源投入時に送信される前記リセット信号を受信することを特徴としている。
【００２４】
このような構成によると、リセット信号有効モードが選択されている場合には、外部装置の電源投入時に、その外部装置から送信され、受信手段において受信されるリセット信号の入力を契機として、リセット処理手段によるリセット処理が実行される。一方、リセット信号無視モードが選択されている場合には、外部装置の電源投入時に、その外部装置から送信され、受信手段においてリセット信号が受信されても、リセット処理手段によるリセット処理は実行されない。そのため、たとえ外部装置の電源投入時に、その外部装置からリセット信号が送信され、受信手段において受信されても、一律にリセット処理がなされず、外部装置の電源投入時におけるリセット処理の実行の有無を選択することができる。
【００２５】
また、請求項９に記載の発明は、請求項１ないし８のいずれかに記載の発明において、印刷準備のためのウォームアップ動作を実行するためのウォームアップ処理手段を備え、前記リセット処理手段は前記リセット処理として、印刷データを初期化するための印刷データ初期化処理と、印刷設定情報を初期化するための印刷設定情報初期化処理と、前記ウォームアップ処理手段によるウォームアップ動作を開始させるためのウォームアップ動作開始処理とを備えていることを特徴としている。
【００２６】
このような構成によると、リセット処理手段が実行されると、印刷データ初期化処理によって印刷データが初期化され、印刷設定情報初期化処理によって印刷設定情報が初期化され、さらに、ウォームアップ動作開始処理によって、印刷準備のために、ウォームアップ処理手段によるウォームアップ動作が開始される。そのため、確実なリセット処理が実行される。
【００２７】
また、請求項１０に記載の発明は、請求項１ないし９のいずれかに記載の発明において、前記リセット信号は、前記外部装置と前記受信手段とを接続するパラレルインターフェイスケーブルを介して、前記受信手段に送信されることを特徴としている。
【００２８】
このような構成によると、リセット信号は、外部装置と受信手段とを接続するパラレルインターフェイスケーブルを介して、受信手段に送信される。そのため、パラレルインターフェイスケーブルから入力されるリセット信号を監視する簡易な構成で、確実にリセット信号を受信して、リセット処理の開始の契機とすることができる。
【００２９】
また、請求項１１に記載の発明は、請求項１ないし１０のいずれかに記載の発明において、前記受信手段は、前記パラレルインターフェイスケーブルが接続されるパラレルインターフェイス用ポートと、ネットワークケーブルの接続が可能なネットワーク用ポートとを備え、前記リセット処理制御手段は、前記パラレルインターフェイス用ポートにパラレルインターフェイスケーブルが、前記ネットワーク用ポートにネットワークケーブルが、それぞれ接続されている場合に、前記リセット信号無視モードを自動的に選択するためのリセット信号無視モード自動選択手段を備えていることを特徴としている。
【００３０】
このような構成によると、パラレルインターフェイス用ポートにパラレルインターフェイスケーブルが、ネットワーク用ポートにネットワークケーブルがそれぞれ接続されている場合には、リセット信号無視モード選択手段がリセット信号無視モードを自動的に選択するので、パラレルインターフェイス用ポートに接続された外部装置から送信されたリセット信号が、パラレルインターフェイス用ポートにおいて受信されても、そのリセット信号は無視される。そのため、ネットワーク用ポートに接続された外部装置から入力された印刷ジョブが、そのリセット信号によってリセット処理されることがなく、所望しない印刷ジョブのリセット処理を防止することができる。
【００３１】
【発明の実施の形態】
図１は、本発明の画像形成装置としてのレーザプリンタの一実施形態を示す要部側断面図である。図１において、レーザプリンタ１は、本体ケーシング２内に、用紙３を給紙するためのフィーダ部４や、給紙された用紙３に画像を形成するための画像形成部５などを備えている。
【００３２】
フィーダ部４は、本体ケーシング２内の底部に、着脱可能に装着される給紙トレイ６と、給紙トレイ６内に設けられた用紙押圧板７と、給紙トレイ６の一端側端部の上方に設けられる給紙ローラ８および給紙パット９と、給紙ローラ８に対し用紙３の搬送方向の下流側に設けられる紙粉取りローラ１０および１１と、紙粉取りローラ１０および１１に対し用紙３の搬送方向の下流側に設けられるレジストローラ１２とを備えている。
【００３３】
用紙押圧板７は、用紙３を積層状にスタック可能とされ、給紙ローラ８に対して遠い方の端部において揺動可能に支持されることによって、近い方の端部が上下方向に移動可能とされており、また、その裏側から図示しないばねによって上方向に付勢されている。そのため、用紙押圧板７は、用紙３の積層量が増えるに従って、給紙ローラ８に対して遠い方の端部を支点として、ばねの付勢力に抗して下向きに揺動される。給紙ローラ８および給紙パット９は、互いに対向状に配設され、給紙パット９の裏側に配設されるばね１３によって、給紙パット９が給紙ローラ８に向かって押圧されている。用紙押圧板７上の最上位にある用紙３は、用紙押圧板７の裏側から図示しないばねによって給紙ローラ８に向かって押圧され、その給紙ローラ８の回転によって給紙ローラ８と給紙パット９とで挟まれた後、１枚毎に給紙される。給紙された用紙３は、紙粉取りローラ１０および１１によって、紙粉が取り除かれた後、レジストローラ１２に送られる。レジストローラ１２は、１対のローラから構成されており、用紙３を所定のレジスト後に、画像形成位置に送るようにしている。なお、画像形成位置は、用紙３に感光ドラム２７上のトナー像を転写する転写位置であって、本実施形態では、感光ドラム２７と転写ローラ３０との接触位置とされる。
【００３４】
なお、このフィーダ部４は、さらに、マルチパーパストレイ１４と、マルチパーパストレイ１４上に積層される用紙３を給紙するためのマルチパーパス側給紙ローラ１５およびマルチパーパス側給紙パット２５とを備えており、マルチパーパス側給紙ローラ１５およびマルチパーパス側給紙パット２５は、互いに対向状に配設され、マルチパーパス側給紙パット２５の裏側に配設されるばね２５ａによって、マルチパーパス側給紙パット２５がマルチパーパス側給紙ローラ１５に向かって押圧されている。マルチパーパストレイ１４上に積層される用紙３は、マルチパーパス側給紙ローラ１５の回転によってマルチパーパス側給紙ローラ１５とマルチパーパス側給紙パット２５とで挟まれた後、１枚毎に給紙される。
【００３５】
画像形成部５は、スキャナ部１６、プロセスユニット１７、定着部１８などを備えている。
【００３６】
スキャナ部１６は、本体ケーシング２内の上部に設けられ、レーザ発光部（図示せず。）、回転駆動されるポリゴンミラー１９、レンズ２０および２１、反射鏡２２、２３および２４などを備えており、レーザ発光部からの発光される画像データに基づくレーザビームを、鎖線で示すように、ポリゴンミラー１９、レンズ２０、反射鏡２２および２３、レンズ２１、反射鏡２４の順に通過あるいは反射させて、プロセスユニット１７の感光ドラム２７の表面上に高速走査にて照射させている。
【００３７】
プロセスユニット１７は、スキャナ部１６の下方に配設され、本体ケーシング２に対して着脱自在に装着されるドラムカートリッジ２６内に、現像カートリッジ２８、感光ドラム２７、スコロトロン型帯電器２９および転写ローラ３０などを備えている。
【００３８】
現像カートリッジ２８は、ドラムカートリッジ２６に対して着脱自在に装着されており、現像ローラ３１、層厚規制ブレード３２、供給ローラ３３、トナーホッパ３４などを備えている。
【００３９】
トナーホッパ３４内には、現像剤として、正帯電性の非磁性１成分のトナーが充填されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、略球状をなし、流動性が極めて良好であり、高画質の画像形成を達成することができる。
【００４０】
なお、このようなトナーには、カーボンブラックなどの着色剤やワックスなどが配合されるとともに、流動性を向上させるために、シリカなどの外添剤が添加されている。その粒子径は、約６〜１０μｍ程度である。
【００４１】
そして、トナーホッパ３４内のトナーは、トナーホッパ３４の中心に設けられる回転軸３５に支持されるアジテータ３６により攪拌されて、トナーホッパ３４の側部に開口されたトナー供給口３７から放出される。また、このアジテータ３６は、後述するメインモータ５６（図２参照）からの動力の入力により、矢印方向（時計方向）に回転駆動される。なお、トナーホッパ３４の両側壁には、トナーの残量検知用の窓３８が設けられており、回転軸３５に支持されたクリーナ３９によって清掃される。
【００４２】
トナー供給口３７の側方位置には、供給ローラ３３が回転可能に配設されており、また、この供給ローラ３３に対向して、現像ローラ３１が回転可能に配設されている。そして、これら供給ローラ３３と現像ローラ３１とは、そのそれぞれがある程度圧縮するような状態で互いに当接されている。
【００４３】
供給ローラ３３は、金属製のローラ軸に、導電性の発泡材料からなるローラが被覆されている。この供給ローラ３３は、後述するメインモータ５６（図２参照）からの動力の入力により、矢印方向（反時計方向）に回転駆動される。
【００４４】
また、現像ローラ３１は、金属製のローラ軸に、導電性のゴム材料からなるローラが被覆されている。より具体的には、現像ローラ３１のローラは、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ３１には、現像バイアスが印加されるように構成されている。また、この現像ローラ３１は、後述するメインモータ５６（図２参照）からの動力の入力により、矢印方向（反時計方向）に回転駆動される。
【００４５】
また、現像ローラ３１の近傍には、層厚規制ブレード３２が配設されている。この層厚規制ブレード３２は、金属の板ばね材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００４６】
そして、トナー供給口３７から放出されるトナーは、供給ローラ３３の回転により、現像ローラ３１に供給され、この時、供給ローラ３３と現像ローラ３１との間で正に摩擦帯電され、さらに、現像ローラ３１上に供給されたトナーは、現像ローラ３１の回転に伴って、層厚規制ブレード３２の押圧部４０と現像ローラ３１との間に進入し、一定厚さの薄層として現像ローラ３１上に担持される。
【００４７】
感光ドラム２７は、現像ローラ３１の側方位置において、その現像ローラ３１と対向するような状態で、ドラムカートリッジ２６において回転可能に支持されている。この感光ドラム２７は、ドラム本体が接地され、その表面がポリカーボネートなどから構成される正帯電性の感光層により形成されている。また、感光ドラム２７は、後述するメインモータ５６（図２参照）からの動力の入力により、矢印方向（時計方向）に回転駆動される。
【００４８】
スコロトロン型帯電器２９は、感光ドラム２７の上方に、感光ドラム２７に接触しないように、所定間隔を隔てて対向配置されている。このスコロトロン型帯電器２９は、タングステンなどの帯電用ワイヤからコロナ放電を発生させる正帯電用のスコロトロン型の帯電器であり、感光ドラム２７の表面を一様に正極性に帯電させるように構成されている。
【００４９】
転写ローラ３０は、感光ドラム２７の下方において、この感光ドラム２７に対向配置され、ドラムカートリッジ２６に回転可能に支持されている。この転写ローラ３０は、金属製のローラ軸に、導電性のゴム材料からなるローラが被覆されており、転写時には、転写バイアスが印加されるように構成されている。また、この転写ローラ３０は、後述するメインモータ５６（図２参照）からの動力の入力により、矢印方向（反時計方向）に回転駆動される。
【００５０】
そして、感光ドラム２７の表面は、感光ドラム２７の回転に伴なって、まず、スコロトロン型帯電器２９によって一様に正極性に帯電された後、次いで、スキャナ部１６からのレーザビームにより露光され静電潜像が形成され、その後、現像ローラ３１と対向した時に、現像ローラ３１の回転により、現像ローラ３１上に担持されかつ正帯電されているトナーが、感光ドラム２７に対向して接触する時に、感光ドラム２７の表面上に形成される静電潜像、すなわち、一様に正帯電されている感光ドラム２７の表面のうち、レーザビームによって露光され電位が下がっている露光部分に供給され、選択的に担持されることによってトナー像が形成され、これによって反転現像が達成される。
【００５１】
その後、感光ドラム２７の表面上に担持されたトナー像は、用紙３が感光ドラム２７と転写ローラ３０との間を通る間に、転写ローラ３０に印加される転写バイアスによって、用紙３に転写される。
【００５２】
定着部１８は、プロセスユニット１７の側方下流側に配設され、加熱ローラ４１、加熱ローラ４１を押圧する押圧ローラ４２、および、これら加熱ローラ４１および押圧ローラ４２の下流側に設けられる１対の搬送ローラ４３を備えている。加熱ローラ４１は、金属製で加熱のためのハロゲンランプを備えており、後述するメインモータ５６（図２参照）からの動力の入力により、矢印方向（時計方向）に回転駆動される。また、押圧ローラ４２は、この加熱ローラ４１を押圧した状態で、この加熱ローラ４１に従動して矢印方向（反時計方向）に回転される。そして、定着部１８では、プロセスユニット１７において用紙３上に転写されたトナーを、用紙３が加熱ローラ４１と押圧ローラ４２との間を通過する間に熱定着させ、その後、その用紙３を搬送ローラ４３によって、排紙パス４４に搬送するようにしている。排紙パス４４に送られた用紙３は、排紙ローラ４５に送られて、その排紙ローラ４５によって排紙トレイ４６上に排紙される。
【００５３】
このようにして、このレーザプリンタ１では、後述するパーソナルコンピュータ（ＰＣ）５５（図２参照）から入力された印刷ジョブに対する１頁毎の印刷処理が実行される。
【００５４】
また、このレーザプリンタ１には、用紙３の両面に画像を形成するために、反転搬送部４７が設けられている。この反転搬送部４７は、排紙ローラ４５と、反転搬送パス４８と、フラッパ４９と、複数の反転搬送ローラ５０とを備えている。
【００５５】
排紙ローラ４５は、１対のローラからなり、正回転および逆回転の切り換えができるように構成されている。この排紙ローラ４５は、上記したように、排紙トレイ４６上に用紙３を排紙する場合には、正方向に回転するが、用紙３を反転させる場合には、逆方向に回転する。
【００５６】
反転搬送パス４８は、排紙ローラ４５から画像形成位置の下方に配設される複数の反転搬送ローラ５０まで用紙３を搬送することができるように、上下方向に沿って設けられており、その上流側端部が、排紙ローラ４５の近くに配置されるとともに、その下流側端部が、反転搬送ローラ５０の近くに配置されている。
【００５７】
フラッパ４９は、排紙パス４４と反転搬送パス４８との分岐部分に臨むように、揺動可能に設けられており、図示しないソレノイドの励磁または非励磁により、排紙ローラ４５によって反転された用紙３の搬送方向を、排紙パス４４に向かう方向から、反転搬送パス４８に向かう方向に切り換えることができるように構成されている。
【００５８】
反転搬送ローラ５０は、給紙トレイ６の上方において、略水平方向に複数設けられており、最も上流側の反転搬送ローラ５０が、反転搬送パス４８の後端部の近くに配置されるとともに、最も下流側の反転搬送ローラ５０が、レジストローラ１２の下方に配置されるように設けられている。
【００５９】
そして、用紙３の両面に画像を形成する場合には、この反転搬送部４７が、次のように動作される。すなわち、一方の面に画像が形成された用紙３が搬送ローラ４３によって排紙パス４４から排紙ローラ４５に送られてくると、排紙ローラ４５は、用紙３を挟んだ状態で正回転して、この用紙３を一旦外側（排紙トレイ４６側）に向けて搬送し、用紙３の大部分が外側に送られ、用紙３の後端が排紙ローラ４５に挟まれた時に、正回転を停止する。次いで、排紙ローラ４５は、逆回転し、フラッパ４９が、用紙３が反転搬送パス４８に搬送されるように、搬送方向を切り換えて、用紙３を前後逆向きの状態で反転搬送パス４８に搬送するようにする。なお、フラッパ４９は、用紙３の搬送が終了すると、元の状態、すなわち、搬送ローラ４３から送られる用紙３を排紙ローラ４５に送る状態に切り換えられる。次いで、反転搬送パス４８に逆向きに搬送された用紙３は、反転搬送ローラ５０に搬送され、この反転搬送ローラ５０から、上方向に反転されて、レジストローラ１２に送られる。レジストローラ１２に搬送された用紙３は、裏返しの状態で、再び、所定のレジスト後に、画像形成位置に向けて送られ、これによって、用紙３の両面に画像が形成される。
【００６０】
また、このレーザプリンタ１では、入力された印刷ジョブに対するすべての印刷処理が終了した後、所定時間が経過しても次の印刷ジョブが入力されない場合には、後述するスリープモード制御プログラムによって、待機状態であるスリープモードが設定される。スリープモードは、印刷ジョブが後述するインターフェイス５３によって受信可能な状態で、メインモータ５６（図２参照）の駆動を行なって印刷処理を実行するための各種の機械要素（たとえば、アジテータ３６、供給ローラ３３、現像ローラ３１、感光ドラム２７、転写ローラ３０、加熱ローラ４１、および、加熱ローラ４１を加熱するための加熱手段としてのヒータ（図示せず）など）が休止されるモードであり、これによって、印刷処理時よりもレーザプリンタ１の消費電力を低減するようにしている。なお、印刷処理が終了してから次の印刷ジョブが入力されるまでの所定時間は、後述する設定部６８からの入力により、たとえば、１〜９９分までの範囲で、ユーザが設定できるようにプログラムされている。また、印刷処理の終了とは、印刷ジョブの最終頁が印刷された用紙３を排紙トレイ４６に排紙して、メインモータ５６（図２参照）が停止した時点をいう。
【００６１】
なお、このスリープモードは、次の印刷ジョブの入力、操作パネル５４の設定部６８における設定、あるいは、本体ケーシング２に設けられる各種の開閉カバー（図示せず。）の開閉動作により解除されるほか、後述するリセット信号有効モードにおけるインプットプライム信号の入力により解除される。
【００６２】
図２は、このレーザプリンタ１の電気的な構成を示すブロック図である。
【００６３】
図２において、レーザプリンタ１は、エンジン５１、制御基板５２、受信手段としてのインターフェイス５３および操作パネル５４などを備えている。
【００６４】
エンジン５１は、メインモータ５６の駆動や上記ヒータの加熱を行なって印刷処理を実行するための各種の機械要素によって構成されており、これら各種の機械要素は、このメインモータ５６によって駆動される。
【００６５】
制御基板５２には、ＣＰＵ５７、ＡＳＩＣ５８、ＲＯＭ５９、ＲＡＭ６０およびＮＶＲＡＭ６１が設けられている。
【００６６】
ＣＰＵ５７は、制御の中枢をなしており、ＡＳＩＣ５８とバス６２を介して接続されている。
【００６７】
ＡＳＩＣ５８は、ＣＰＵ５７と、ＲＯＭ５９、ＲＡＭ６０、ＮＶＲＡＭ６１、エンジン５１、インターフェイス５３および操作パネル５４とを接続するためのＩＣ回路であり、制御基板５２の内部において、ＣＰＵ５７、ＲＯＭ５９、ＲＡＭ６０およびＮＶＲＡＭ６１と、それぞれバス６２によって接続され、制御基板５２の外部において、エンジン５１、インターフェイス５３および操作パネル５４と、それぞれバス６２によって接続されている。
【００６８】
ＲＯＭ５９には、このレーザプリンタ１を制御するための各種のプログラム、たとえば、印刷処理を実行するための印刷制御プログラムや、後述するリセット処理手段としてのリセット処理プログラム、リセット処理制御手段としてのリセット処理制御プログラム、スリープモード制御手段としてのスリープモード制御プログラム、ウォームアップ処理手段としてのウォームアップ処理プログラムなどの各種プログラムが格納されている。
【００６９】
ＲＡＭ６０は、一時的に数値やデータなどを格納するメモリであって、たとえば、ＰＣ５５から入力される印刷ジョブが一時的に記憶される。
【００７０】
ＮＶＲＡＭ６１は、レーザプリンタ１の電源を切ったり、レーザプリンタ１をリセットしても、記憶されたデータが消去されない不揮発性のメモリであり、たとえば、ページカウンタなどのデータが記憶されている。
【００７１】
インターフェイス５３には、パラレルインターフェイス用ポート６３およびネットワークインターフェイス用ポート６４が設けられている。
【００７２】
パラレルインターフェイス用ポート６３は、たとえば、ＳＣＳＩポートなどの公知の接続方式が採用される接続ポートであって、パラレルインターフェイスケーブル６５が接続される。これによって、このレーザプリンタ１は、パラレルインターフェイスケーブル６５を介して、外部装置としてのパーソナルコンピュータ（以下、ＰＣと省略する。）５５と接続される。
【００７３】
なお、このパラレルインターフェイスケーブル６５は、複数の信号線を備えており、複数ビットを同時並行して送信できるパラレル伝送用のインターフェイスケーブルであり、この複数の信号線の１つとして、レーザプリンタ１をリセットするためのリセット信号としてのインプットプライム信号を送信するための信号線が備えられている。
【００７４】
このインプットプライム信号は、ＰＣ５５のオペレーションシステムやプリンタドライバにもよるが、通常、ＰＣ５５の電源投入時、再起動時およびユーザからのＰＣ５５に対するキャンセルコマンドの入力により、ＰＣ５５からパラレルインターフェイスケーブル６５のインプットプライム信号を送信するための信号線を介して、レーザプリンタ１のパラレルインターフェイス用ポート６３に送信される。このようにして、ＰＣ５５から送信されるインプットプライム信号をパラレルインターフェイスケーブル６５を介してパラレルインターフェイス用ポート６３において受信するようにすれば、ＣＰＵ５７において、パラレルインターフェイスケーブル６５から入力されるインプットプライム信号を監視する簡易な構成で、確実にインプットプライム信号を受信して、リセット処理の開始の契機とすることができる。
【００７５】
ネットワークインターフェイス用ポート６４は、たとえば、ＬＡＮポートやモデムポートなどの公知の接続方式が採用される接続ポートであって、ＬＡＮケーブルなどのネットワークケーブル６６が接続される。これによって、このレーザプリンタ１は、ネットワークケーブル６６を介してネットワーク６７と接続され、このネットワーク６７に接続されているＰＣ５５と接続される。
【００７６】
操作パネル５４は、図１には図示されないが、本体ケーシング２の上面に設けられており、設定手段としての設定部６８および表示手段としての表示部６９を備えている。
【００７７】
設定部６８は、液晶により表示されるタッチパネルからなり、メニュー表示から順次選択により各種の印刷条件などが設定可能とされる階層構造により構成されている。この設定部６８では、たとえば、図３（ａ）に示すように、後述するリセット処理の制御方法を選択できる画面を表示させることができる。
【００７８】
すなわち、この画面では、インプットプライム信号の有効ボタン７０ａ、無視ボタン７１ａおよび自動選択ボタン７２ａが表示される。そして、ユーザは、これらのうちから１つを選択してそのボタンを押下し、ＯＫボタン７３によりこれを設定することにより、後述するリセット処理制御プログラムにおける選択ステップ（図４におけるＳ２、Ｓ３およびＳ４の選択ステップ。）での選択が設定可能とされている。これによって、後述するインプットプライム信号有効モード選択プログラム、インプットプライム信号無視モード選択プログラムおよび自動選択プログラムのうちから、いずれか１つを設定することができるので、ユーザが所望する選択プログラムを、簡易かつ確実に設定することができる。
【００７９】
表示部６９は、液晶ディスプレイ（ＬＣＤ）によって構成されており、メニュー表示から順次選択により各種の印刷条件などを表示可能とされる階層構造により構成されている。この表示部６９では、たとえば、図３（ｂ）に示すように、上記した設定部６８において設定したリセット処理の制御に関し、インプットプライム信号が常に有効である状態を示すインプットプライム信号の有効表示７０ｂ、インプットプライム信号を無視する状態を示すインプットプライム信号の無視表示７１ｂおよびインプットプライム信号を自動選択するインプットプライム信号の自動選択表示７２ｂが選択的に反転表示されている。このような表示によって、設定部６８における設定を表示できるので、ユーザは、設定した選択プログラムを容易に確認することができる。
【００８０】
そして、このレーザプリンタ１では、パラレルインターフェイス用ポート６３にパラレルインターフェイス用ケーブル６５を介して接続されているＰＣ５５、および／または、ネットワークインターフェイス用ポート６４にネットワークケーブル６６を介して接続されているネットワーク６７に接続されているＰＣ５５から、パラレルインターフェイスケーブル６５あるいはネットワークケーブル６６を介して、インターフェイス５３に印刷ジョブが入力されると、ＲＯＭ５９内の印刷制御プログラムに基づいて、ＣＰＵ５７によって、エンジン５１の各種の機械要素が制御され、上記した印刷処理が実行される。
【００８１】
そして、このレーザプリンタ１では、ＣＰＵ５７において、ＰＣ５５からパラレルインターフェイスケーブル６５を介して送信され、パラレルインターフェイス用ポート６３に入力されるインプットプライム信号を監視しており、そのインプットプライム信号の入力を契機として、リセット処理制御プログラムの処理を開始するようにしている。
【００８２】
リセット処理制御プログラムの処理が開始されると、たとえば、図４に示すように、まず、レーザプリンタ１のパラレルインターフェイス用ポート６３およびネットワークインターフェイス用ポート６４が、それぞれ両方ともパラレルインターフェイスケーブル６５およびネットワークケーブル６６と接続されているか否かが判断される（Ｓ１）。
【００８３】
パラレルインターフェイス用ポート６３およびネットワークインターフェイス用ポート６４の両方に、それぞれ、パラレルインターフェイスケーブル６５およびネットワークケーブル６６が接続されている場合には（Ｓ１：ＹＥＳ）、リセット信号無視モード自動選択手段としてのインプットプライム信号無視モード自動選択プログラムが起動され、リセット信号無視モードとしてのインプットプライム信号無視モードが選択され、リセット処理制御プログラムの処理が終了される。これによって、たとえインプットプライム信号がレーザプリンタ１に入力されても、このインプットプライム信号は無視されるので、リセット処理の実行が阻止される。このような処理によれば、パラレルインターフェイス用ポート６３にパラレルインターフェイスケーブル６５が、ネットワークインターフェイス用ポート６４にネットワークケーブル６６がそれぞれ接続されている場合には、インプットプライム信号無視モード自動選択プログラムがインプットプライム信号無視モードを自動的に選択するので、パラレルインターフェイスケーブル６５を介してＰＣ５５から送信されたインプットプライム信号が、パラレルインターフェイス用ポート６３において受信されても、そのインプットプライム信号は無視される。そのため、ネットワークインターフェイス用ポート６４にＰＣ５５から入力された印刷ジョブが、そのインプットプライム信号によってリセット処理されることがなく、所望しない印刷ジョブのリセット処理を防止することができる。
【００８４】
一方、パラレルインターフェイス用ポート６３およびネットワークインターフェイス用ポート６４の両方ともに、パラレルインターフェイスケーブル６５およびネットワークケーブル６６が接続されていない、すなわち、パラレルインターフェイス用ポート６３のみにパラレルインターフェイスケーブル６５が接続されている場合には（Ｓ１：ＮＯ）、次に、リセット信号無視モード選択手段としてのインプットプライム信号無視モード選択プログラムが起動され、上記した設定部６８において、インプットプライム信号の無視ボタン７１ａの押下によりインプットプライム信号を無視する設定がなされているか否かが判断される（Ｓ２）。
【００８５】
インプットプライム信号を無視する設定がなされている場合には（Ｓ２：ＹＥＳ）、インプットプライム信号無視モードが選択され、リセット処理制御プログラムの処理が終了される。これによって、たとえインプットプライム信号がレーザプリンタ１に入力されても、このインプットプライム信号は無視されるので、リセット処理の実行が阻止される。そのため、リセット処理プログラムにリセット処理を実行させたくない場合には、インプットプライム信号の無視ボタン７１ａの押下により、インプットプライム信号無視モードを選択すれば、リセット処理制御プログラムにおいて、インプットプライム信号の入力を契機として一律にリセット処理がなされず、ユーザが所望しないタイミングでのリセット処理の実行が阻止され、不必要な処理を低減することができる。
【００８６】
一方、インプットプライム信号を無視する設定がなされていない場合には（Ｓ２：ＮＯ）、次に、リセット信号有効モード選択手段としてのインプットプライム信号有効モード選択プログラムが起動され、上記した設定部６８において、インプットプライム信号の有効ボタン７０ａの押下によりインプットプライム信号を有効とする設定がなされているか否かが判断される（Ｓ３）。
【００８７】
インプットプライム信号を有効とする設定がなされている場合には（Ｓ３：ＹＥＳ）、インプットプライム信号有効モードが選択され、このインプットプライム信号の入力を契機として、リセット処理プログラムが起動されることにより、リセット処理が実行される（Ｓ５）。
【００８８】
すなわち、図５に示すように、リセット処理が開始されると、まず、印刷データ初期化手段としての印刷データ初期化プログラムの起動によって、ＲＡＭ６０に格納されている印刷ジョブ中の印刷データが初期化される（Ｓ６）。
【００８９】
たとえば、ＰＣ５５から５ページ分の印刷データを含む印刷ジョブがレーザプリンタ１に送信されており、この５ページ分の印刷データのうちの２ページ分までの印刷が終了している時点で、ユーザがＰＣ５５にキャンセルコマンドを入力すると、ＰＣ５５からインプットプライム信号がレーザプリンタ１に送信され、レーザプリンタ１では、そのインプットプライム信号の受信を契機として、その時点（すなわち、２ページ分の印刷が終了した時点）で印刷処理を終了し、ＣＰＵ５７は、ＲＡＭ６０に残っている３ページ分の印刷データを消去する。
【００９０】
次いで、印刷設定情報初期化手段としての印刷設定情報初期化プログラムの起動によって、ＲＡＭ６０に格納されている印刷設定情報（たとえば、用紙サイズの設定や両面印刷または片面印刷の設定など）が初期化され（Ｓ７）、その後、スリープモード制御プログラムによってスリープモードが設定されているか否かが判断される（Ｓ８）。
【００９１】
スリープモードが設定されている場合には（Ｓ８：ＹＥＳ）、そのスリープモードの設定が解除された後（Ｓ９）、ウォームアップ処理プログラムの起動によって、印刷準備のためのウォームアップ動作が開始される（Ｓ１０）。このウォームアップ動作は、フィーダ部４から用紙３を給紙しない状態で、アジテータ３６、供給ローラ３３、現像ローラ３１、感光ドラム２７などを回転（ガラ回し）させる動作であって、これによって、各種の機械要素が初期化される。
【００９２】
その後、リセット処理プログラムの処理が終了される。一方、スリープモードが設定されていない場合には（Ｓ８：ＮＯ）、そのスリープモードの設定が解除されず、また、上記したウォームアップ動作も開始されずに、その後、リセット処理プログラムの処理が終了される。
【００９３】
一方、図４のＳ３において、インプットプライム信号を有効とする設定がなされていない場合には（Ｓ３：ＮＯ）、次いで、自動選択手段としての自動選択プログラムが起動され、スリープモード制御プログラムによってスリープモードが設定されているか否かが判断される（Ｓ４）。
【００９４】
スリープモードが設定されていない場合には（Ｓ４：ＮＯ）、インプットプライム信号有効モードが自動的に選択され、このインプットプライム信号の入力を契機として、上記したリセット処理が実行され（Ｓ５）、リセット処理制御プログラムの処理が終了される。
【００９５】
なお、このリセット処理においては、スリープモードが設定されていないと（Ｓ８：ＮＯ）、リセット処理制御プログラムの処理が終了される。
【００９６】
一方、スリープモードが設定されている場合には（Ｓ４：ＹＥＳ）、インプットプライム信号無視モードが自動的に選択され、インプットプライム信号が無視され、リセット処理制御プログラムの処理が終了される。
【００９７】
このように、このレーザプリンタ１では、まず、設定部６８でインプットプライム信号の有効ボタン７０ａまたはインプットプライム信号の無視ボタン７１ａを押下することにより、インプットプライム信号有効モード選択プログラムまたはインプットプライム信号無視モード選択プログラムを選択的に起動させて、インプットプライム信号有効モードまたはインプットプライム信号無視モードを選択できる。つまり、インプットプライム信号の入力を契機としてリセット処理プログラムにリセット処理を実行させたい場合には、インプットプライム信号有効モードを選択し、リセット処理プログラムにリセット処理を実行させたくない場合には、インプットプライム信号無視モードを選択すれば、リセット処理プログラムにおいては、インプットプライム信号の入力を契機として一律にリセット処理がなされず、所望する場合のみ、リセット処理を実行させることができる。そのため、ユーザが所望しないタイミングでのリセット処理の実行が阻止され、不必要な処理を低減することができる。
【００９８】
さらに、設定部６８でインプットプライム信号の自動選択ボタン７２ａを押下することにより、自動選択プログラムを起動させれば、スリープモードが設定されていない場合には、インプットプライム信号有効モードが選択されるので、このインプットプライム信号の入力を契機として、リセット処理プログラムによるリセット処理が実行され、スリープモードが設定されている場合には、インプットプライム信号無視モードが選択されるので、このインプットプライム信号は無視され、リセット処理プログラムによるリセット処理は実行されない。そのため、自動選択プログラムを設定しておけば、スリープモード状態にある場合には、たとえインプットプライム信号が入力されてもリセット処理が実行されず、そのスリープモード状態を、そのまま維持することができる。
【００９９】
つまり、このレーザプリンタ１では、インプットプライム信号有効モードが選択されている場合において、スリープモードが設定されているときに、インプットプライム信号を受信すると、スリープモード制御プログラムによってスリープモードの設定が解除され、リセット処理が開始される。一方、インプットプライム信号無視モードが選択されている場合において、スリープモードが設定されているときに、インプットプライム信号を受信しても、スリープモード制御プログラムによってスリープモードの設定は解除されず、リセット処理は開始されない。そのため、自動選択プログラムを選択しておけば、スリープモードが設定されている場合には、たとえ、インプットプライム信号の入力があっても、スリープモードの設定が解除されることなく、そのまま、スリープモード状態を維持することができる。その結果、自動選択プログラムの設定により、レーザプリンタ１の動作状態に応じた適切なモードの自動的な選択を達成でき、たとえＰＣ５５の電源投入時に、そのＰＣ５５からインプットプライム信号が送信され、パラレルインターフェイス用ポート６３においてインプットプライム信号が受信されても、一律にリセット処理がなされず、ユーザが所望しないスリープモード状態でのリセット処理を防止することができる。
【０１００】
以上、本発明の一実施形態について説明したが、本発明は、上記の実施形態以外の実施形態においても実施することができる。たとえば、上記の実施形態では、画像形成装置として、レーザプリンタ１を例に挙げて説明したが、本発明は、インクジェットプリンタなどにも適用することができる。
【０１０１】
また、上記の実施形態では、設定部６８で、インプットプライム信号の有効ボタン７０ａ、無視ボタン７１ａまたは自動選択ボタン７２ａの押下により、リセット処理制御プログラムにおいて、インプットプライム信号有効モード選択プログラム、インプットプライム信号無視モード選択プログラムまたは自動選択プログラムの選択的な起動を設定したが、これらの設定は、パラレルインターフェイス用ケーブル６５を介してパラレルインターフェイス用ポート６３と接続されているＰＣ５５やネットワークインターフェイス用ポート６４と接続されているＰＣ５５からの入力によって、各プログラムのいずれかを選択できるようにしてもよい。
【０１０２】
【発明の効果】
以上述べたように、請求項１に記載の発明によれば、ユーザが所望しないタイミングでのリセット処理の実行が阻止され、不必要な処理を低減することができる。
【０１０３】
請求項２に記載の発明によれば、リセット信号有効モード選択手段またはリセット信号無視モード選択手段の設定により、リセット信号有効モードまたはリセット信号無視モードのいずれかを、簡易かつ確実に設定することができる。
【０１０４】
請求項３に記載の発明によれば、自動選択手段の設定により、画像形成装置の動作状態に応じた適切なモードの自動的な選択を達成することができる。
【０１０５】
請求項４に記載の発明によれば、この画像形成装置では、スリープモード状態にある場合には、たとえリセット信号が入力されてもリセット処理が実行されず、そのスリープモード状態を、そのまま維持することができる。
【０１０６】
請求項５に記載の発明によれば、ユーザが所望しないスリープモード状態でのリセット処理を防止することができる。
【０１０７】
請求項６に記載の発明によれば、ユーザが所望する選択手段を、簡易かつ確実に設定することができる。
【０１０８】
請求項７に記載の発明によれば、設定した選択手段を容易に確認することができる。
【０１０９】
請求項８に記載の発明によれば、たとえ外部装置の電源投入時に、その外部装置からリセット信号が送信され、受信手段において受信されても、一律にリセット処理がなされず、外部装置の電源投入時におけるリセット処理の実行の有無を選択することができる。
【０１１０】
請求項９に記載の発明によれば、確実なリセット処理が実行される。
【０１１１】
請求項１０に記載の発明によれば、パラレルインターフェイスケーブルから入力されるリセット信号を監視する簡易な構成で、確実にリセット信号を受信して、リセット処理の開始を決定することができる。
【０１１２】
請求項１１に記載の発明によれば、所望しない印刷ジョブのリセット処理を防止することができる。
【図面の簡単な説明】
【図１】本発明の画像形成装置としてのレーザプリンタの一実施形態を示す要部側断面図である。
【図２】図１に示すレーザプリンタの電気的な構成を示すブロック図である。
【図３】図１に示すレーザプリンタに備えられる操作パネルの一実施形態であって、（ａ）は、設定部のタッチパネルの一例を示す図であり、（ｂ）は、表示部のＬＣＤ表示の一例を示す図である。
【図４】リセット処理制御プログラムの処理を示すフロー図である。
【図５】リセット処理プログラムの処理を示すフロー図である。
【符号の説明】
１　　レーザプリンタ
５３　インターフェイス
５４　操作パネル
５５　ＰＣ
５７　ＣＰＵ
５９　ＲＯＭ
６０　ＲＡＭ
６３　パラレルインターフェイス用ポート
６４　ネットワークインターフェイス用ポート
６５　パラレルインターフェイスケーブル
６６　ネットワークケーブル
６７　ネットワーク
６８　設定部
６９　表示部
【図１】
2004142187.tif 000003
【図２】
2004142187.tif 000004
【図３】
2004142187.tif 000005
【図４】
2004142187.tif 000006
【図５】
2004142187.tif 000007